(57)【要約】【課題】ＩＤカード面上の記載事項の変更、追記を行う場合に、変更、追記がなされる以前のＩＤカードの画像を読み取り、ＩＤカード面上の画像が形成されていない領域に、新規記載事項の印字を行うシステムの提供により、記載事項変更作業における記載誤りを減少させ、また、作業の能率を向上させる。【解決手段】コンピュータとプリンタとから構成されるＩＤカードへの情報付与システムであって、前記プリンタが、前記ＩＤカード面の画像情報を読み取る画像読み取り手段と、前記ＩＤカード面に新規情報を記載するための印字手段とを有し、前記コンピュータが、前記画像読み取り手段にて読み取られた画像情報に基づいて、前記印字手段が新規情報をカード面に記載する位置を決定することを特徴とするＩＤカードへの情報付与システム。【選択図】        図３
2005035035.tif 000002
【特許請求の範囲】
【請求項１】
コンピュータとプリンタとから構成され、ＩＤカードに新規情報を記載することが可能なＩＤカードへの情報付与システムであって、
前記プリンタが、
前記ＩＤカード面の画像情報を読み取る画像読み取り手段と、
前記ＩＤカード面に新規情報を記載するための印字手段とを有し、
前記コンピュータが、
前記画像読み取り手段にて読み取られた画像情報に基づいて、
前記印字手段が新規情報をカード面に記載する位置を決定することを特徴とするＩＤカードへの情報付与システム。
【請求項２】
コンピュータとプリンタとから構成され、ＩＤカードに新規情報を記載することが可能なＩＤカードへの情報付与システムであって、
前記プリンタは前記ＩＤカード面の画像情報を読み取る画像読み取り手段と、前記ＩＤカード面に新規情報を記載するための印字手段とを有し、
前記コンピュータは前記画像読み取り手段により読み取られた画像を表示する表示手段と、前記表示手段上の表示画像に新規情報の記載位置を指示するための操作手段とを有し、
前記印字手段は、前記操作手段により指示された位置に対応するカード面上に新規情報を記載することを特徴とするＩＤカードへの情報付与システム。
【請求項３】
前記印字手段が印字する位置に、ラベルを貼り付ける貼り付け手段を有し、ＩＤカード面上に貼り付けられた前記ラベルに前記印字手段にて新規情報の記載をする請求項１、もしくは２に記載のＩＤカードへの情報付与システム。
【請求項４】
前記印字手段を、ＩＤカードへの印字と、前記ラベルへの印字とに共用できるように構成した請求項３に記載のＩＤカードへの情報付与システム。
【請求項５】
印字手段をＩＤカード搬送路の上下に設け、ＩＤカードの第１面には、新規情報が第２面に存在することを示す印を形成して、第２面には新規情報を記載するように構成した請求項１、もしくは請求項２に記載のＩＤカードへの情報付与システム。
【請求項６】
ＩＣチップを内蔵したＩＤカードとの情報交換を行うための読み取り書き込み手段を前記プリンタに設け、前記コンピュータがＩＤカード面上への新規情報の記載位置を決定した後に、もしくは指示した後に、前記読み取り書き込み手段がＩＤカードに新規情報を書き込むように構成した請求項１、もしくは２に記載のＩＤカードへの情報付与システム。
【発明の詳細な説明】
【０００１】
【発明の属する技術分野】
本発明は、本人確認、各種資格の証明のために発行されたＩＤカード、ライセンスカードに記載された記載事項を変更する際に用いられるカードへの情報付与システムに関する。
【０００２】
【従来の技術】
個人を特定するための身分証明書や、個人の資格を証明する資格証明書としてカードに顔画像と所定の事項を記載したＩＤカードやライセンスカード（以下、ＩＤカードと総称する）は、広く一般に使用されている。
【０００３】
これらのＩＤカードは、表面には適宜な画像形成手段により個人データに基づく画像形成がなされており、裏面には印刷による定められた事項を記載した領域と、ボールペン等の一般的な筆記具にて記載が可能な筆記可能領域とを有しているものが多い。
【０００４】
また、これらのカードの発行、検索、照会等に関わる処理をコンピュータシステムにて迅速に行うために、さらには、カードの偽変造防止のために、磁気メモリとしての磁気ストライプ、あるいはＩＣメモリとしてのＩＣチップ、場合によってはＣＰＵを有するＩＣチップ等をカードに持たせている（例えば、特許文献１参照。）。
【０００５】
発行されたＩＤカードの多くは、発行時の状態のままで、その有効期間中は所有者の使用に供され、有効期間終了と共に無効となる。従って、所有者は所定の手続きにより更新されたカードを受けることによって引き続きその効力を行使するか、もしくは更新を受けずに失効状態となる。
【０００６】
しかし実際には、上述したＩＤカードの新規発行、あるいは更新以外に、カードの有効期間中に発生する、紛失、盗難等によるカードの再発行、あるいは、個人データの変更等によるカード上に記載された事項の変更も多い。
【０００７】
この個人データの変更に伴う記載事項の変更は、カード裏面の筆記領域にスタンプ、手書き、もしくは専用プリンタにより新規事項を記載することにより行われる。しかしながら、人手による新規事項の記載作業は、誤りを生みやすく、また、作業能率も低い。
【０００８】
【特許文献１】
特開平７−２６６７５４号公報（第１−２頁）
【０００９】
【発明が解決しようとする課題】
本発明の目的は、上述の様なＩＤカードの記載事項の変更、追記を行う場合に、変更、追記がなされる以前のＩＤカード（原ＩＤカードと称す）の画像を読み取り手段で読み取り、原ＩＤカード面上の画像が形成されていない領域内で新規事項を記載する位置を自動的に決定して、画像出力手段にて新規記載事項の画像形成を行うシステムを提供することにより、作業の誤りを減少させ、また、作業の能率を向上させることにある。
【００１０】
【課題を解決するための手段】
上記課題は、以下の手段により達成される。
【００１１】
（１）  コンピュータとプリンタとから構成され、ＩＤカードに新規情報を記載することが可能なＩＤカードへの情報付与システムであって、
前記プリンタが、
前記ＩＤカード面の画像情報を読み取る画像読み取り手段と、
前記ＩＤカード面に新規情報を記載するための印字手段とを有し、
前記コンピュータが、
前記画像読み取り手段にて読み取られた画像情報に基づいて、
前記印字手段が新規情報をカード面に記載する位置を決定することを特徴とするＩＤカードへの情報付与システム。
【００１２】
（２）  コンピュータとプリンタとから構成され、ＩＤカードに新規情報を記載することが可能なＩＤカードへの情報付与システムであって、
前記プリンタは前記ＩＤカード面の画像情報を読み取る画像読み取り手段と、前記ＩＤカード面に新規情報を記載するための印字手段とを有し、
前記コンピュータは前記画像読み取り手段により読み取られた画像を表示する表示手段と、前記表示手段上の表示画像に新規情報の記載位置を指示するための操作手段とを有し、
前記印字手段は、前記操作手段により指示された位置に対応するカード面上に新規情報を記載することを特徴とするＩＤカードへの情報付与システム。
【００１３】
（３）  前記印字手段が印字する位置に、ラベルを貼り付ける貼り付け手段を有し、ＩＤカード面上に貼り付けられた前記ラベルに前記印字手段にて新規情報の記載をする（１）、もしくは（２）に記載のＩＤカードへの情報付与システム。
【００１４】
（４）  前記印字手段を、ＩＤカードへの印字と、前記ラベルへの印字とに共用できるように構成した（３）に記載のＩＤカードへの情報付与システム。
【００１５】
（５）  印字手段をＩＤカード搬送路の上下に設け、ＩＤカードの第１面には、新規情報が第２面に存在することを示す印を形成して、第２面には新規情報を記載するように構成した（１）、もしくは（２）に記載のＩＤカードへの情報付与システム。
【００１６】
（６）  ＩＣチップを内蔵したＩＤカードとの情報交換を行うための読み取り書き込み手段を前記プリンタに設け、前記コンピュータがＩＤカード面上への新規情報の記載位置を決定した後に、もしくは指示した後に、前記読み取り書き込み手段がＩＤカードに新規情報を書き込むように構成した（１）、もしくは（２）に記載のＩＤカードへの情報付与システム。
【００１７】
【発明の実施の形態】
図１は本発明に関わるＩＤカード発行システムを模式的に示す図である。
【００１８】
図に示すように、ＩＤカード発行システムはコンピュータＣＲ１と、これに接続されたカードプリンタＰＲ１とからなり、カードプリンタＰＲ１はコンピュータＣＲ１から送られる画像形成情報と、およびＩＣチップへの書き込み情報とを受け、ＩＣカードに所定の画像形成と書き込みを行ってＩＤカードを作成する。なお、本発明の実施の形態の説明においては、ＩＣチップを内蔵したＩＣカードを用いたＩＤカード発行システムを前提として説明するが、ＩＣチップを内蔵しないカードの場合であっても本発明の効果は何ら変わるものではない。
【００１９】
カードプリンタＰＲ１は、ホッパーＨＰ１、ＨＰ２、ＨＰ３、カード給送手段１０、カード搬送手段２０、画像形成手段Ｙ、Ｍ、Ｃ、Ｋ、保護膜形成手段ＨＳ１、オーバーコート手段ＨＳ２、読み取り書き込み手段ＲＷ１、第１スタッカ３０、第２スタッカー４０、制御手段ＣＮ１等から構成される
ホッパーＨＰ１、ＨＰ２、ＨＰ３には、ＩＣカードが画像形成のための受像層面を上に向け積層載置されている。三つのホッパーには、同種のＩＣカードを載置しても良いし、予め異なる印刷を施したＩＣカードを載置して、コンピュータＣＲ１から送られた情報を基にして、ＩＣカードを送り出すホッパーを選択するようにしても良い。
【００２０】
また、ホッパーＨＰ１、ＨＰ２、ＨＰ３にＩＣカードを載置する代わりにＩＣカードを収納した特定のカートリッジを準備して、このカートリッジを所定位置にセットするように構成しても良い。
【００２１】
載置されたＩＣカードは、給送手段１０により一枚ずつに分離され、搬送手段２０により画像形成手段Ｙに送られる。なお、搬送手段２０とは、給送手段１０から送られたＩＣカードを所定のスタッカまで搬送する搬送機構全体を指している。
【００２２】
画像形成手段Ｙにおいては、コンピュータＣＲ１から制御手段ＣＮ１を介して送られたイエロー画像がＩＣカード上に形成される。イエロー画像を担持した前記ＩＣカードは、搬送手段２０により次の画像形成手段Ｍに搬送され、所定位置にはマゼンタの画像が形成される。同様にして、画像形成手段Ｃにてシアン画像が、画像形成手段Ｋでは黒の画像が形成される。なお、画像形成手段Ｙ、Ｍ、Ｃ、Ｋは、転写リボンをサーマルヘッドでＩＣカードに押圧して画像形成を行う熱溶融転写方式によるもので、公知のものである。
【００２３】
画像形成がなされた前記ＩＣカードは、画像形成面が上を向くようにして、保護膜形成手段ＨＳ１に送られ、形成された画像を保護するための保護シートが面上に貼り付けられる。
【００２４】
次の、オーバーコート手段ＨＳ２では、さらなる保護のためのコーティングがＩＣカード面上に施される。
【００２５】
画像形成と保護層の形成を終えたＩＣカードは、読み取り書き込み手段ＲＷ１により、先ずＩＣカードの製造段階で記録された固有のデータが読み取られる。次に、ＩＣカード表面に形成された画像情報に対応する所定の情報が、ＩＣカードに書き込まれる。書き込まれた情報は直ちに読み出され、その内容が書き込んだ情報と一致しているか否かの確認が行われる。確認の結果、一致しているとの結果が得られたＩＣカードは、正しく情報が書き込まれたものとして、搬送手段２０によって、良品を収納するスタッカー３０に送られ、画像形成と情報書き込みがなされたＩＤカードの作成が完了する。
【００２６】
しかしながら、上述の確認の結果、書き込んだ情報と読み出した情報とが一致しなかった場合、もしくは情報を正常に読み出せなかった場合には、ＩＣカードは、廃棄すべき不良カードとして搬送手段２０により廃棄スタッカー４０に送られる。
【００２７】
図２は、ＩＤカード発行システムに使用されるカードプリンタＰＲ１の制御関係を示すブロック図である。制御手段ＣＮ１はＣＰＵ、メモリ、入出力Ｉ／Ｏインターフェイス、通信用インターフェイス、各手段を駆動する回路等を有するコンピュータシステムである。コンピュータＣＲ１とは通信手段にて接続されている。前記通信手段は画像の通信に支障を来さない速度のものであれば、適宜なものでよい。
【００２８】
なお、本図においては、本発明に直接関係しないブロックは省略されている。
図３は、本発明によるＩＤカードへの情報付与システムを示す模式図である。
【００２９】
ＩＤカードへの情報付与システムは、前述のＩＤカード発行システムにより発行されたＩＤカード上に変更情報に対応する新規記載事項を記載するシステムであり、コンピュータＣＲ２、カード記載プリンタＰＲ２からなる。
【００３０】
コンピュータＣＲ２は、マウス、キーボード等の入力手段６０１と、ＣＲＴ等の表示手段６０２を備えている。
【００３１】
カード記載プリンタＰＲ２は、カード挿入台１０１、カード搬送手段１０２、カード画像読み取り手段２０２Ａ、２０２Ｂ、貼り付け手段３０１、第１印字手段Ｐ１、第２印字手段Ｐ２、読み取り書き込み手段ＲＷ２、制御手段ＣＮ２、排出トレイ１０３等から構成される。
【００３２】
カード挿入台１０１から挿入された記載を必要とするＩＤカードＣＤは、複数のベルトとローラと保持部材とを有するカード搬送手段１０２によって搬送され、所定の位置にて指定された処理を施されて、排出トレイ１０３に排出される。
【００３３】
前記ＩＤカードＣＤは、新規記載が可能な面（通常は裏面である第２面）を上にしてカード挿入台１０１に載置される。先ず先端検知センサ２０１にてＩＤカードＣＤの先端が検知され、以後の各処理を実行するためのカードの位置情報が制御手段ＣＮ２記憶される。制御手段ＣＮ２は、この位置情報を基に、ＩＤカードＣＤに所定の処理が行われるように各手段を制御する。
【００３４】
次にカード画像読み取り手段２０２Ａ、２０２ＢによりＩＤカードＣＤの二つの面上に形成されている画像が読み取られる。読み取られた画像情報は、制御手段ＣＮ２を経由してコンピュータＣＲ２に送られる。
【００３５】
コンピュータＣＲ２は、該ＩＤカードＣＤの持つ情報と、予めマウス、キーボード等の入力手段６０１によって入力された変更情報の照合を行い、次いで、変更情報に対応した新規記載事項をカード上に記載するのに必要な印字領域と、読み取られた前記画像情報を基に得られた既に形成されている画像領域以外の記載可能領域とを照合して、新規記載事項のＩＤカード面上における印字位置を決定する。
【００３６】
新規記載事項の印字に必要な領域が、記載可能領域を超えた場合には、印字不可という判定がなされる。判定結果を受けた制御手段ＣＮ２は該ＩＤカードＣＤをカード搬送手段１０２により排出トレイ１０３に排出する。また、前記判定結果に関わる情報は制御手段ＣＮ２からコンピュータＣＲ２に送られて、表示手段６０２には印刷不可をオペレータに伝えるメッセージが表示される。
【００３７】
印字に必要な領域が、記載可能領域範囲内である場合にはＩＤカードＣＤは、第１印字手段Ｐ１の位置まで送られ、ＩＤカード面上には新規記載事項が所定位置に印字される。印字を終えたＩＤカードＣＤは、読み取り書き込み手段ＲＷ２にて、ＩＣチップに記録された情報が読み出され、照合処理がなされた後、新たな情報の書き込みがなされる。書き込まれた情報は再度読み出され、問題が無ければＩＤカードＣＤは排出トレイ１０３へ送られ、読み出された情報はコンピュータＣＲ２の所定のファイルにストアされる。
【００３８】
第２の本発明は、カード画像読み取り手段２０２Ａ、２０２Ｂにて読み取られた画像と、入力手段６０１にて入力された新規記載事項とを表示手段６０２に表示して、表示されたＩＤカードＣＤの画像に対し、作業者が入力手段６０１を操作することによって印字位置を指定するもので、新規記載事項の印字位置を自動的に決定することが困難な場合に有効なものである。上述の自動的に決定することが困難な例としては、カード面に画像と紛らわしい汚れがある場合が代表として挙げられる。
【００３９】
指定された印字位置情報は、コンピュータＣＲ２からプリンタの制御手段ＰＲの制御手段ＣＮ２に送られ、ＩＤカード面上の指定された位置への印字がなされる。
【００４０】
図３に示される貼り付け手段３０１は、接着剤、もしくは粘着材を有するラベルをＩＤカードＣＤの面に貼り付ける装置である。ＩＤカードＣＤ上のラベルには第１印字手段Ｐ１にて新規記載事項が印字される。
【００４１】
ラベルの貼り付けは、新規記載事項を印字する領域がＩＤカードＣＤの面上に残されていなかった場合、印字不可という判定をして、該ＩＤカードを排出トレイ１０３に排出する代わりに、既に記載事項が存在する領域に新たな印字領域を作り出す手段として使用されるものである。
【００４２】
また、ＩＤカードＣＤの面が、第１印字手段Ｐ１にて施す印字に不適な面を有している場合にも有効なものである
本発明においては、第１印字手段Ｐ１がＩＤカードＣＤへの印字を行う印字手段とラベルへの印字手段とを兼ねるように構成されており、装置のコストアップを抑えている。
【００４３】
第２印字手段Ｐ２は、ＩＤカードＣＤの表面（第１面）に印字する印字手段である。ＩＤカードＣＤの表面は通常、画像を保護するための、および偽変造を防止するための保護膜が形成されているので、新規記載事項の印字が困難である場合が多いが、もし印字が可能である場合には、第２印字手段Ｐ２にて印字を行う方法もある。
【００４４】
例としては、第２印字手段Ｐ２をインクジェット方式にして、新規記載事項をＩＤカードＣＤの第１面に印字する方法がある。この場合の印字手段は、缶や紙パックの面上に印字を行うために使用されている公知のインクジェット方式が適当である。
【００４５】
また、表面に新規記載事項を印字する領域を見つけることが困難であった場合に、表面には新規記載事項が裏面に書かれていることを示す小さな印のみを第２印字手段Ｐ２により印字して、裏面に第１印字手段Ｐ１により新規記載事項を印字しても良い。
【００４６】
図４は、上述したＩＤカードＣＤに新規記載事項を記載するために使用されるＩＤカードへの情報付与システムの制御関係を示すブロック図である。
【００４７】
コンピュータＣＲ２は、キーボード、マウス等の情報を入力するための入力手段を有し、カード記載プリンタＰＲ２の制御手段ＣＮ２とは通信手段にて接続されている。前記通信手段はシリアル、パラレルのいずれでも良く、画像転送に支障を来さない速度を有する適宜な手段を用いることができる。
【００４８】
カード記載プリンタＰＲ２の制御手段ＣＮ２は、ＣＰＵ、メモリ、入出力インターフェイス、各手段の駆動回路を有するコンピュータシステムである。カード記載プリンタＰＲ２が有する各手段の制御を行うと共に、前述したように、通信手段を通じてコンピュータＣＲ２との情報交換を行っている。なお、本図においては、本発明に直接に関係しないブロックの記載は省略されている。
【００４９】
図５は、変更情報に基づく新規記載事項が印字されたＩＤカードの画像例である。点線で囲まれた部分が新規記載事項であり、本発明により指定された位置により印字がなされている。
【００５０】
【発明の効果】
請求項１に記載の発明により、新規記載事項がＩＤカードの画像形成可能位置に自動的に印字され、新規記載事項の記載誤りが減少し、また記載作業の能率が向上する。
【００５１】
請求項２に記載の発明により、新規記載事項をＩＤカードに印字する印字領域がコンピュータ入力手段によるオペレータの指示によりなされるので、コンピュータによる自動判断が困難な場合にも対応できる。
【００５２】
請求項３に記載の発明により、新規記載事項の印字が困難なカード表面を有するカードへの新規記載事項が記載できるようになる。
【００５３】
請求項４に記載の発明により、ＩＤカードへの情報付与システムが簡略化される。
【００５４】
請求項５に記載の発明により、新規記載事項の有無が表面に明瞭に表示され、確認が容易になる。
【００５５】
請求項６に記載の発明により、新規記載事項がＩＤカードへの印字と、ＩＣチップに記憶されている情報の一致が誤り無く実現される。
【図面の簡単な説明】
【図１】ＩＤカード発行システムを模式的に示す図である。
【図２】ＩＤカード発行システムの制御関係を示すブロック図である。
【図３】ＩＤカードへの情報付与システムを模式的に示す図である。
【図４】ＩＤカードへの情報付与システムの制御関係を示すブロック図である。
【図５】ＩＤカード面上への印字例を示す図である。
【符号の説明】
１０１  挿入台
１０２  カード搬送手段
１０３  カード排出トレイ
２０１  カード先端検知センサ
２０２Ａ、２０２Ｂ  カード画像読み取り手段
３０１  貼り付け手段
Ｐ１  第１印字手段
Ｐ２  第２印字手段
ＣＤ  ＩＤカード
ＣＮ１  カードプリンタの制御手段
ＣＮ２  カード記載プリンタの制御手段
ＣＲ１  ＩＤカード発行用コンピュータ
ＣＲ２  ＩＤカードへの情報付与システム用コンピュータ
ＰＲ１  カードプリンタ
ＰＲ２  カード記載プリンタ
ＲＷ１  読み取り書き込み手段
ＲＷ２  読み取り書き込み手段
【図１】
2005035035.tif 000003
【図２】
2005035035.tif 000004
【図３】
2005035035.tif 000005
【図４】
2005035035.tif 000006
【図５】
2005035035.tif 000007